Podtech/llm-jp-corpus-v4-ja_patent huggingface dataset:
(57)【要約】【課題】本発明が解決しようとする課題は、半導体発光素子の能力を最大限引き出し、効率良く集光させる照明装置を実現する事である。【解決手段】放熱性向上のため、放熱板などをつけ発光量を増大させたＬＥＤ素子の発光部（ベアチップ）に直接光ファイバーを接続し、ＬＥＤの発光を一旦光ファイバーに入光させ、光ファイバーをかいして光を照射するように構成したユニット多数個で集光性を増す。【選択図】図２
2007134621.tif 000002
【特許請求の範囲】
【請求項１】
ＬＥＤベアチップ発光部に直接光ファイバーを接続した発光体。
【請求項２】
半導体発光素子の能力を最大限引き出し、効率良く集光させるため、ＬＥＤベアチップの放熱性向上のための放熱板を取りつけたベアチップ発光部に直接光ファイバーを接続した発光体。
【請求項３】
半導体発光素子の能力を最大限引き出し、効率良く集光させるため、ＬＥＤベアチップの放熱性向上のための放熱板を取りつけた多数のベアチップ発光部を持つ基盤と、その各ベアチップに直接光ファイバーを接続した発光体群を持つ照明装置。
【請求項４】
請求項３の照明装置の各光ファイバー照射口をバンドル構成にし。集光させた照明装置。
【発明の詳細な説明】
【技術分野】
【０００１】
本発明は、半導体発光素子の能力を最大限引き出し、効率良く集光させる照明装置に関する。
【背景技術】
【０００２】
近年のＬＥＤの高出力化は目覚しく、自動車のヘッドライトに使用されるまでに開発が進んでいる。しかしながら、高出力化を実現するために解決されなければならない問題も存在している。その一つは、発光量を増やすためにはＬＥＤ素子に、より大きな電流を流さなければならないが、大きな電流を流せばＬＥＤが発する熱が増大するため発光効率が低下するという問題である。
【０００３】
この解決法として、放熱性の向上、熱による劣化防止方法として特開２００３−１５２２２５（特許文献１）、特開２００３−２４３７１８（特許文献２）、特開２００５−１３６１３７（特許文献３）などいろいろの方法が開示されている。
【０００４】
これらの解決法は、確かに放熱性の向上、熱による劣化防止効果があり、大電流をＬ  ＥＤに流す事ができ、半導体発光素子の能力を最大限引き出すことはできるが、製作されたＬＥＤ素子全体の大きさが従来の放熱板を施さない製品と比べ格段に大きくなるという欠点が存在する。
【０００５】
ＬＥＤ素子全体のサイズが大きくなることは、複数のＬＥＤを光学的に集光したり、又スペースの少ない場所での使用に大きな制約となるなど新たな問題が発生している。
【０００６】
また、ＬＥＤ光源を光ファイバーに入光させる方法としては、特開平９−１０２３８、特開平１１−２１９６０８、特開２０００−２７１１５５などが開示されているが、いずれも放熱板の無いレンズタイプのＬＥＤを使用しており、光量及び集光効率がおとる。
【０００７】
集光効率が良い、直接ＬＥＤチップに光ファイバーを接着する方法は、特開平７−２４０５３６に開示されているが、ＬＥＤチップの放熱性の考慮がなされず、したがって入力電流が制限され、半導体発光素子の能力を最大限引き出せずチップの発光量が劣る。
【発明の開示】
【発明が解決しようとする課題】
【０００８】
本発明が解決しようとする課題は、半導体発光素子の能力を最大限引き出し、効率良く集光させる照明装置を実現する事である。
【課題を解決するための手段】
【０００９】
この課題を解決するために、特開２００３−１５２２２５（特許文献１）、特開２００３−２４３７１８（特許文献２）、特開２００５−１３６１３７（特許文献３）などいろいろの放熱性向上のため、放熱板などをつけ発光量を増大させたＬＥＤ素子の発光部（ベアチップ）に直接光ファイバーを接続し、ＬＥＤの発光を一旦光ファイバーに入光させ、光ファイバーをかいして光を照射するように構成した。
【００１０】
また、この１個のＬＥＤ素子に１本の光ファイバーを接続する１ユニットを多数使用し、光ファイバーをバンドル（束ねる）構成にすることにより、集光性が増しかつ照射口が小さくできる。
【発明の効果】
【００１１】
本発明により、従来放熱の問題で制約されていた半導体発光素子の能力を最大限引き出し、かつ放熱板により効率良く集光させることが難しかったＬＥＤの照明装置が、発光効率が良く、かつ小さい場所にも使用できる為、ＬＥＤ照明の利用可能性が向上する。
【発明を実施するための最良の形態】
【００１２】
発明を実施するための最良の形態は、ＬＥＤ発光部（ベアチップ）の発熱を充分に放熱でき、かつベアチップに接続された光ファイバーにベアチップの発光した光が光ファイバーのコアに効率良く入光させることができる多数のユニットを形成する基板に、できるだけ通過損失の少ないかつ安価な光ファイバー、例えばアクリル樹脂製のファイバーを接着し、バンドル構成にして、照射光を集光させる形態である。
【実施例】
【００１３】
図２に実施例概要を示す。
【００１４】
現在一般に出まわっているＬＥＤベアチップは0.32mm×0.32mmで厚さ0.2mmのものである。このチップを放熱基板に多数個搭載して１個のチップに約0.5mm径の光ファイバーケーブルの入光面を直接に接着する事により、チップの発光を効率良く光ファイバーに入光することができる。
【００１５】
又、放熱基板に反射加工を施せば、さらに入光効率も増し、放熱する事によりＬＥＤチプの最大限の発光を得る電流を流せるので、従来の放熱基板の無い、レンズ集光タイプのＬＥＤの５〜６倍の発光量が得られる。
【００１６】
しかも、このＬＥＤユニット多数個が最終的には、バンドル化されるため非常に小さい径で放射強度の大きい出射光が得られる。例として８ユニットの場合、出射径は約３ミリで従来のレンズタイプＬＥＤの小さいものと同じ径であるが、放射光は約４０倍となる。
【図面の簡単な説明】
【００１７】
【図１】放熱基板上にＬＥＤベアチツプを搭載し、直接ベアチップな発光部に、光ファイバーを接続した図である。
【図２】図１の単体ユニットを多数個集合させた、光ファイバー照明概要図である。
【符号の説明】
【００１８】
光ファイバーコア
光ファイバークラッド
ＬＥＤベアチップ
放熱基板
光ファイバー
照射光
チツプ多数搭載放熱基板
【図１】
2007134621.tif 000003
【図２】
2007134621.tif 000004
(57)【要約】【課題】吸着装置による搬送が可能であると共に、カバー内への異物の侵入を防止できる回路モジュールを提供すること。【解決手段】本発明の回路モジュールにおいて、回路部品２の上部を覆うカバー３の上面板３ａには、孔３ｂが設けられて、この孔３ｂが上面板３ａに貼り付けられた塞ぎ部材４によって塞がれたため、カバー３の上面板３ａは、吸着装置５によって吸着可能となって、吸着装置５による組立作業の自動化が可能となると共に、塞ぎ部材４の存在によって、カバー３内への異物の侵入を防止できる。【選択図】図１
2007134893.tif 000002
【特許請求の範囲】
【請求項１】
回路部品が搭載されて所望の電気回路を形成した回路基板と、この回路基板に取り付けられたカバーとを備え、前記カバーは、前記回路部品の上部を覆う上面板を有し、この上面板には、孔が設けられて、前記孔が前記上面板に貼り付けられた塞ぎ部材によって塞がれたことを特徴とする回路モジュール。
【請求項２】
前記塞ぎ部材が前記上面板のほぼ全面にわたって設けられたことを特徴とする請求項１記載の回路モジュール。
【請求項３】
前記塞ぎ部材が粘着剤を設けた絶縁材からなるテープによって形成されたことを特徴とする請求項１，又は２記載の回路モジュール。
【請求項４】
前記回路部品の少なくも一つの上部が前記孔内に位置したことを特徴とする請求項１から３の何れか１項に記載の回路モジュール。
【発明の詳細な説明】
【技術分野】
【０００１】
本発明は、携帯電話機の送受信ユニット等に使用して好適な回路モジュールに関するものである。
【背景技術】
【０００２】
従来の回路モジュールの構成を図２に基づいて説明すると、回路基板５１には、種々の回路部品５２が搭載されて、所望の電気回路が形成されており、この回路基板５１は、回路部品５２を上方にして、箱形の枠体５３内に取り付けられると共に、この枠体５３には、上方の開放部を塞ぐようにカバー５４が取り付けられ、カバー５４の上面板５４ａには、回路部品５２を調整するための複数の孔５４ｂが設けられて、従来の回路モジュールが形成されている（例えば、特許文献１参照）。
【０００３】
このような構成を有する従来の回路モジュールは、メーカ（顧客）側で、電子機器のマザー基板５５への組み込み作業が行われるが、組立作業を自動化するために、回路モジュールの供給位置で、吸着装置によってカバー５４の上面板５４ａを吸着し、そして、吸着装置によって回路モジュールをマザー基板５５上に搬送するようになっている。
【特許文献１】特開平８−２７９６８７号公報
【発明の開示】
【発明が解決しようとする課題】
【０００４】
しかし、従来の回路モジュールは、カバー５４の上面板５４ａに孔５４ｂがあるため、吸着装置による搬送ができないばかりか、孔５４ｂの存在によって、カバー５４内に埃等の異物が侵入するという問題がある。
【０００５】
本発明は、このような従来技術の実情に鑑みてなされたもので、その目的は、吸着装置による搬送が可能であると共に、カバー内への異物の侵入を防止できる回路モジュールを提供することにある。
【課題を解決するための手段】
【０００６】
上記の目的を達成するために、本発明の第１の解決手段として、回路部品が搭載されて所望の電気回路を形成した回路基板と、この回路基板に取り付けられたカバーとを備え、前記カバーは、前記回路部品の上部を覆う上面板を有し、この上面板には、孔が設けられて、前記孔が前記上面板に貼り付けられた塞ぎ部材によって塞がれた構成とした。
【０００７】
また、第２の解決手段として、前記塞ぎ部材が前記上面板のほぼ全面にわたって設けられた構成とした。
【０００８】
また、第３の解決手段として、前記塞ぎ部材が粘着剤を設けた絶縁材からなるテープによって形成された構成とした。
【０００９】
また、第４の解決手段として、前記回路部品の少なくも一つの上部が前記孔内に位置した構成とした。
【発明の効果】
【００１０】
本発明の回路モジュールにおいて、回路部品の上部を覆うカバーの上面板には、孔が設けられて、この孔が上面板に貼り付けられた塞ぎ部材によって塞がれたため、カバーの上面板は、吸着装置によって吸着可能となって、吸着装置による組立作業の自動化が可能となると共に、塞ぎ部材の存在によって、カバー内への異物の侵入を防止できる。
【００１１】
また、塞ぎ部材が前記上面板のほぼ全面にわたって設けられたため、塞ぎ部材と上面板との間の段差が無くなって、吸着装置による吸着が一層確実にできる。
【００１２】
また、塞ぎ部材が粘着剤を設けたテープによって形成されたため、テープの取付が簡単となると共に、テープが絶縁材で形成されることによって、回路部品との絶縁を図ることができる。
【００１３】
また、回路部品の少なくも一つの上部が孔内に位置したため、カバーの高さを低くできて、小型化を図ることができる。
【発明を実施するための最良の形態】
【００１４】
発明の実施の形態について図面を参照して説明すると、図１は本発明の回路モジュールの要部断面図であり、本発明の回路モジュールの構成を図１に基づいて説明すると、回路基板１には、コンデンサや抵抗器等の種類が異なり、且つ、大きさや形状の異なる種々の回路部品２が搭載されて、所望の電気回路が形成されている。
【００１５】
金属製の箱形のカバー３は、四角形の上面板３ａと、この上面板３ａに設けられた孔３ｂと、上面板３ａの辺から下方に折り曲げられた側面板３ｃを有し、このカバー３は、上面板３ａが回路部品２の上部を覆った状態で、側面板３ｂが回路基板１に取り付けられており、この時、背の高い少なくとも一つ回路部品２の上部は、孔３ｂ内に位置した状態となっている。
【００１６】
塞ぎ部材４は、一方の面に粘着剤が設けられた絶縁材からなるテープで形成され、この塞ぎ部材４は、上面板３ａの上面のほぼ全体に貼り付けられて、孔３ｂを塞ぐようになっているが、塞ぎ部材４は、孔３ｂを塞ぐにたりる大きさでも良く、また、この塞ぎ部材４を絶縁材にすることによって、上部が孔３ｂ内に位置した回路部品２との間の絶縁を図ることができるようになって、本発明の回路モジュールが形成されている。
【００１７】
このような構成を有する本発明の回路モジュールは、メーカ（顧客）側で、電子機器のマザー基板（図示せず）への組み込み作業が行われるが、組立作業を自動化するために、図１に示すように、回路モジュールの供給位置で、吸着装置５によってカバー３の上面板３ａを吸着し、そして、吸着装置５によって回路モジュールをマザー基板上に搬送するようになっているが、上面板３ａの孔３ｂを塞ぐ塞ぎ部材４の存在によって、吸着装置５による回路モジュールの搬送が可能となっている。
【図面の簡単な説明】
【００１８】
【図１】本発明の回路モジュールの要部断面図である。
【図２】従来の回路モジュールの分解斜視図である。
【符号の説明】
【００１９】
１  回路基板
２  回路部品
３  カバー
３ａ  上面板
３ｂ  孔
３ｃ  側面板
４  塞ぎ部材
５  吸着装置
【図１】
2007134893.tif 000003
【図２】
2007134893.tif 000004
(57)【要約】      （修正有）【課題】洋式トイレでの座るときや尻を拭くときの腰の移動が座った状態では辛いという問題。【解決手段】洋式トイレの便座が前後に動き腰の負担を減少させる。【選択図】図４
2007136107.tif 000002
【特許請求の範囲】
【請求項１】
洋式トイレの便座が前．後１０ｃｍ程度便器から動く洋式トイレ。
【発明の詳細な説明】
【技術分野】
【０００１】本発明は洋式トイレの便座と便器に工夫を加える事によって便座を前．後に動かすものである。
【発明の開示】
【発明が解決しようとする課題】
【０００２】従来の洋式トイレの便座では、座るときの尻の移動や尻を拭くときの移動が座った状態では辛かったりという不都合を解決することを課題とする。
〔課題を解決する為の手段〕【０００３】この課題を解決する為の請求項１の発明は、便座の裏２ケ所にローラーを付けて滑らせて便器と便座の止め金具を加工して１０ｃｍ程度のレール２ケ所取付け便座にブレ止めのＬ形のレールを取付け便座が１０ｃｍ程度前．後に動くことが出来る。
【発明の効果】
【０００４】本発明により便座に座る時手前で座っても後ろにずれて尻を拭く時は手前にずれて座った状態での辛い腰の移動が楽にできるようになる。
〔発明を実施をする為の最良の形態〕【０００５】図１は便器の見取図で▲１▼のケ所にレールを２ケ所取り付けた図である。【０００６】図２は▲５▼の便座の裏に▲３▼のローラーを片側５ケ所計１０ケ所取り付けた図である。【０００７】図３は▲２▼の金具ローラーを２コ▲４▼の芯棒で▲５▼の便座▲７▼の穴に通して▲１▼のレールに取り付けた図である。
実施例【０００８】図１図２図３を組んで▲１▼のレールの前．後に▲８▼の蓋で固定すれば１０ｃｍ以上動いて落ちることもなくローラーの調整で固さを加減できて安全でスムーズな動きになる。
【産業上の利用可能性】
【００９】本発明に居たる洋式トイレは工業的に量産する事が可能である為産業上の利用可能性を有する
【図面の簡単な説明】
【００１０】
【図１】  便器の見取図出ある。
【図２】  便座の裏側とローラー．ローラーの見取図である。
【図３】  変座と便器をレールに設置した図である。
【符号の説明】
【００１１】１  便座を動かす土台レール
２  便座を芯捧で固定して、土台レールの上で動く金物ローラー
３  便座の裏に取り付けローラー
４  便座の開閉の為の芯捧
５  便座
６  トイレのタンク
７  便座を横から見た穴
８  便座が前後に飛びて出さないようにするフタ
【図１】
2007136107.tif 000003
【図２】
2007136107.tif 000004
【図３】
2007136107.tif 000005
【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
便座が便器から前後に動く洋式トイレ。
【手続補正２】
【補正対象書類名】明細書
【補正対象項目名】全文
【補正方法】変更
【補正の内容】
【発明の詳細な説明】
【技術分野】
【０００１】本発明は洋式トイレ便座と便器に工夫を加える事にょって便座を前．後に動かすものである。
【発明の開示】
【発明が解決しようとする課題】
【０００２】従来の洋式トイレの便座では座るときの腰の移動や尻をの拭くときの移動が座った状態では辛かったりという不都合を解決することを課題とする。【０００３】この課題を解決する為の請求項目１の発明は便座の裏にローラーなどを付けて滑らせて便器と便座の止め金具を加工してレールなどの金物で好きな方向に動く事が出来るようにする。【０００４】本発明により便座に座る時手前で座っても後にずれて尻を拭く時は手前にずれて座った状態での辛い腰の移動が楽に出来るようになる。
〔発明を実設する為の最良の形態〕【０００５】図１．図２．図３図４は▲２▼ローラーが▲１▼のレール上を動く事で便座が前後する図である。【０００６】図５図６は▲９▼のような折れ曲げがる金物で伸び縮みして便座を前．後させる図である。。【０００７】図７は．▲９▼ような油圧シリンンダーで便座を前．後させる図である。【０００８】これらの便座の動く手段は色々な金物で応用がきき電動で動かすことも可能で▲１▼レール▲９▼金物▲１０▼シリンダーにこだわらずに手段はさまざまである便座の裏の▲３▼ローラーも色々な方法で応用がきき滑りやすい材質の板を便器．便座の設置面に付けるだけなどでもできるウォシュレットなども動かす事ができる。
【産業上の利用可能性】
【０００９】本発明に居たる洋式トイレは工業的に量産する事が可能である為．産業上の利用可能性を有する。
【図面の簡単な説明】
【００１０】
【図１】  便器に▲１▼レールを取り付けた図である。
【図２】  便座の裏にローラーを付けた図とローラーの図である。
【図３】  ▲１▼レールと▲２▼金物のローラーの付いた立体図である。
【図４】  ▲１▼レールで便座が動く図である。
【図５】  ▲９▼金物で便座が動く図である。
【図６】  ▲９▼金物の図と動く図である。
【図７】  油圧シリンダーで便座が動く図である。
【符号の説明】
【００１１】  １  便器に付ける土台レール
２  便座を芯棒で固定して土台レールの上で動くローラー
３  便座の裏に付けるローラー
４  便器
５  便座
６  トイレタンク
７  便座と便器をつなげる芯棒
８  レールから金物ローラーが出ないようにする蓋
９  ３６０°回転出来て折れて伸び縮みする金物
１０  伸び縮みをする油圧シリンダー
【手続補正３】
【補正対象書類名】図面
【補正対象項目名】全図
【補正方法】変更
【補正の内容】
【図１】
2007136107.tif 000006
【図２】
2007136107.tif 000007
【図３】
2007136107.tif 000008
【図４】
2007136107.tif 000009
【図５】
2007136107.tif 000010
【図６】
2007136107.tif 000011
【図７】
2007136107.tif 000012
(57)【要約】【課題】  一般的に手持携帯品の携帯保持に係わる保持用具は該製品の個々のメーカーにより形状や機能が異なり使用者の最適条件への不整合性の問題を招き携帯用品の遺失や落下による破損等を招く問題を発生させている。【解決手段】携帯品保持具に係わる必要且つ最適条件である携帯用品保持具からの着脱の容易性と簡便性、並びに、確実な保持機能を満足させるフック機構、並びに、携帯品装着保持時の体感確認性を保障する装置装着機構構造、及び、携帯品装着保持機能の信頼性を保障する脱落防止機構構造により課題を解決するものである。【選択図】図２
2007136108.tif 000002
【特許請求の範囲】
【請求項１】
衣類着用時に用いるベルトや、ショルダーバッグ、背嚢等のベルトが貫通可能な中空機構本体構造を持ち、該機構本体構造体の外側面上の該ベルト貫通軸と直交する軸上に上方部に開放口を持ちフック底部が該機構本体構造体と連結する懸架フック構造を形成し、該懸架フックと交差させ該フック開放先端部分を覆い、且つ、被懸架物の該フックからの逸脱防止ロック機能と、該フック先端による人体切傷、並びに、着衣損傷防止機能を具備し指先にて容易に開閉可能な安全フラップを具備する手持携帯用品懸架装置。
【請求項２】
請求項１に述べる手持携帯用品懸架装置の該懸架フックと該安全フラップ機構構造の中心軸を、該ベルト貫通軸に合致させて構成する事を特徴とする手持携帯品懸架装置。
【請求項３】
被懸架物に加わる逸脱外力により安全フラップの開放を完全にロックする懸架フックと安全フラップの交差機構構造及び機能構造。
【請求項４】
指先による容易な開放を可能とするスプリングによる常時閉鎖維持構造を付加した懸架フックの安全カバー構造を持つ請求項１、請求項２、請求項３に述べる装置。
【発明の詳細な説明】
【技術分野】
【０００１】  本発明は、ベルトを貫通させる空洞筐体構造にハンガーフック機能を併設し、且つ、傷害事故防止機能構造と懸架物着脱の簡便性を両立させて並立させた落下防止機構構造を共有する携帯品のハンガーに関する。
【背景技術】
【０００２】  従来、各ユーザーが自己の判断により携帯機器や用品専用の携帯用ケース、フック付きチエーン、或いは、紐等により着衣やベルトに連結し落下による損傷や損失を防止する自衛策を講じているが該機器等の着脱時の不便性、懸架時、帯同時の不安定性等を完全に排除する条件を保障するに至っていない。【０００３】  又、各ユーザーの屋外活動に於いて必要とする各種の道具や携帯用品の遺失を防止し得る安定した懸架を保証し、且つ、汎用性のある懸架装置は市場供給されていない。
【発明の開示】
【発明が解決しようとする課題】
【０００４】  発明が解決しようとする課題は、背景技術に述べる各問題点の完全除去と、携帯する懸架物の遺失の完全防止機能構造と懸架装置自体の安定装着機能、並びに、該装置自体の容易な着脱性を完全に満足する機構構造の懸架装置を提供する事にある。
【課題を解決するための手段】
【０００５】  本発明は、以下に示す機構構造により、該装置自体の着脱の容易性を保障する機構構造と小型軽量化による本装置の装着後の違和感と存在感の排除、並びに、懸架物保持力の強靭性の保障、懸架物着脱時の簡便性のすべてを満足させる条件を満たす手段を以下に示す機構構造により解決させるものである。
【発明の効果】
【０００６】  本発明の小物携帯品懸架装置は、図に示す如く小型軽量化を満足させ、本体機構構造による本装置の衣服のベルト等への装着時の安定性を完全保証し、安全フラップ機構構造とフック部の機構構造の相互構造形態により被懸架物の予期せぬ逸脱を完全防止すると共に、懸架物の装着と取り外しの容易性を保障することを可能とするものである。
【発明を実施するための最良の形態】
【０００７】  携帯品懸架装置自体の小型軽量化に寄与する本体機構の単純化による懸架装置自体の装着時の負担軽減、及び、懸架品必要時の着脱操作の容易性と単純化の実現、並びに、携帯品の懸架保持の安全性を実現する事による信頼性の確保の全てを満足させる機構と機能構造を実現させる為に、以下に述べる機構構造を採用する。
【実施例１】
【０００８】  図１、図２、図３、図４、並びに、図５、図６に本発明による安全固定機能を持つ携帯品の懸架装置の実施例を示す。【０００９】  即ち、本発明による携帯品懸架装置は、懸架固定装置機構構造自体の単純化と安定性、並びに、簡便な装着性を実現する筐体構造に、携帯品を懸架するフックと懸架した携帯品のフックからの逸脱を完全に防止するフック開放部を閉鎖する安全フラップをフックと交差する形状構造に設定し、装着した携帯品のフックからの逸脱力によってフック開放部を完全に閉鎖するフック開放部による切傷事故防止を兼ねた安全機能構造を具備させて構成するものである。
【実施例２】
【００１０】  図５、図６は、縦方向のベルト等に装着する本発明による該懸架装置の実施例を示すもので、本実施例はハンドバッグ等本装置の装着対象箇所が概ね垂直方向となる場合に有効なものであるが、本装置の機能、並びに、懸架対象物の着脱方法は実施例１に相似するものである。
【図面の簡単な説明】
【００１１】
【図１】本発明携帯品懸架装置の安全フラップ６を閉鎖した状態の正面図を示す。
【図２】図１に示す該装置の側面図を示す。
【図３】図１に示す該装置の安全フラップ６を開放した該装置の正面図を示す。
【図４】図３に示す該装置の側面図を示す。
【図５】取り付けるベルトが垂直条件となる場合に適する本発明機構構造の平面構造図を示す。
【図６】図５に示す該装置の側面図を示す。
【符号の説明】
【００１２】１、筐体
２、フック
３、フック打抜孔
４、懸架箇所空洞部
５、装着用ベルト等の貫通空洞部
６、安全フラップ
７、安全フラップ取り付け蝶番軸
８、フック収納溝
【図１】
2007136108.tif 000003
【図２】
2007136108.tif 000004
【図３】
2007136108.tif 000005
【図４】
2007136108.tif 000006
【図５】
2007136108.tif 000007
【図６】
2007136108.tif 000008
(57)【要約】【課題】これまで、家庭や事業所及びオフィス等で排出する廃プラゴミや紙屑・シュレッダーゴミはカサバリが大きく、その容積を減容することは容易ではなかったため、ゴミの廃棄までは一定のスペースを確保する必要があった。また、その厄介なゴミスペース問題は、本来、分別されるべきゴミが一般の生ゴミとして混入する等、ゴミの分別が徹底されない一因ともなっていた。【解決手段】カサバリの大きいゴミ等を簡単な構成、簡単な操作であらゆるタイプのゴミ袋に対応し減量化を図るために、電気掃除機のホースに着脱自在で大きなゴミの吸い込みを防ぎ吸引口を塞がない吸引部を備えたノズルを、ゴミ袋の開閉口とともに付属のホルダーに結合させ電気掃除機に接合することでその吸引力利用してゴミ袋内のゴミ等を圧縮減容することを特徴とした装置を提供する。【選択図】図１
2007136144.tif 000002
【特許請求の範囲】
【請求項１】
家庭やオフィス等から排出されるゴミ袋に入った廃プラスチック（以下「廃プラ」という）ゴミや紙屑・シュレッダーゴミといったカサバリの大きいゴミ等をあらゆるタイプのゴミ袋に対応し圧縮減容するために、（１）電気掃除機のホースに着脱自在で大きなゴミの吸い込みを防ぎ吸引口を塞がない吸引部を備えたノズルを、（２）ゴミ袋の開閉口とともに付属のホルダーに結合する。（３）２つの結合された部材を一体化して電気掃除機のホースに接合させ、片手で電気掃除機の吸引力を調整しながらゴミ袋内のゴミ等を圧縮減容する。（４）圧縮減容されたゴミ等は電気掃除機の電源オフ時もしくは吸引中に電気帰除機を操作しない方の手を使いゴミ袋を回転させゴミ袋開閉口を締め切ることで、ゴミ袋の圧縮減容された状態を固定しゴミ等の減量化を図ることを特徴とした装置。
【発明の詳細な説明】
【技術分野】
【０００１】  本発明は家庭やオフィス等から排出されるゴミ袋に入ったカサバリの大きい廃プラゴミや紙屑・シュレッダーゴミ等を電気掃除機の吸引力を利用し簡単な構成、簡単な操作で圧縮し減容化を図り、カサバリの大きいゴミ等の廃棄までの保管の省スペース化の実現と廃棄時の回収効率を向上させる装置に関するものである。
【背景技術】
【０００２】  これまで、家庭やオフィス等で排出するカサバリゴミである廃プラゴミや紙屑・シュレッダーゴミ等は容量が大きいためゴミ収集日までは一定のスペースを確保する必要があった。ゴミ置スペースの確保が難しい家庭やゴミそのものが大量で見苦しく感じる場合は、本来分別されるべきゴミが収集回数の多い一般の生ゴミに混入する等、ゴミの分別が徹底されない要因となっていた。また、ゴミの排出元である家庭やオフィス等ではその容積を減容することはこれまで容易なことではなかった。
【発明の開示】
【発明が解決しようとする課題】
【０００３】  従来、家庭やオフィス等では廃プラゴミや紙屑・シュレッダーゴミ等の容量が大きくカサバリのある物に対して、簡易に圧縮し減容する方法が無かったため、廃プラゴミや紙屑・シュレッダーゴミ等はその容積のまま一定のスペースを要していた。そのため、そのスペース確保問題の軽減とゴミの分別を促す簡易な吸引圧縮減容装置を提供する。
【課題を解決するための手段】
【０００４】  家庭やオフィス等から排出されるゴミ袋に入った廃プラゴミや紙屑・シュレッダーゴミといったカサバリの大きいゴミ等をあらゆるタイプのゴミ袋に対応し圧縮減容するために、（１）電気掃除機のホースに着脱自在で大きなゴミの吸い込みを防ぎ吸引口を塞がない吸引部を備えたノズルを、（２）ゴミ袋の開閉口とともに付属のホルダーに結合する。（３）２つの結合された部材を一体化して電気掃除機のホースに接合させ、片手で電気掃除機の吸引力を調整しながらゴミ袋内のゴミ等を圧縮減容する。（４）圧縮減容されたゴミ等は電気掃除機の電源オフ時もしくは吸引中に電気掃除機を操作しない方の手を使いゴミ袋を回転させゴミ袋開閉口を締め切ることで、ゴミ袋を圧縮減容された状態を固定しゴミ等の減量化を図る。
【発明の効果】
【０００５】  本発明を利用することにより、（１）家庭やオフィス等でのカサバリの大きい廃プラゴミや紙屑・シュレッダーゴミ等を簡易に減容することが可能となる。（２）ゴミの廃棄までのスペース問題を緩和する。（３）ゴミの分別保管も容易となり収集回数の多い生ゴミに廃プラゴミ等が混入することを抑止する。（４）ゴミの再資源化が促進され、同時にゴミの圧縮による減量化を図ることでゴミ収集コストも軽減する。
【発明を実施するための最良の形態】
【０００６】  図１は本発明の全体図である。本発明は電機掃除機のホースに着脱自在のノズルとそのノズルを受け入れ、あらゆるタイプのゴミ袋の開閉口を挟み込むホルダーの２つの部材で構成される。
【実施例】
【０００７】  ノズルと電気掃除機の接合部は、多様な電気掃除機のホースに対応する形状とする。【０００８】  ノズルの空気の吸引口は、大きなゴミ等が電気掃除機に吸引されることを防ぐためネットもしくは多数の穴を設ける。また、ゴミ等が吸引口を塞がないような形状とする。【０００９】  ホルダーは、ノズルとゴミ袋開閉口を挟み込み易い形状とする。
【産業上の利用可能性】
【００１０】  本発明により家庭やオフィス等から排出されるカサバリの大きい廃プラゴミや紙屑・シュレッダーゴミ等を簡易に圧縮減容することが可能となれば、ゴミの廃棄までのスペース問題を緩和することができる。また、ゴミの圧縮減容によるゴミの減量化の実現はゴミの分別と再資源化を促し効率的なゴミ回収に貢献する。
【図面の簡単な説明】
【００１１】
【図１】本発明の全体図である。
【図２】本発明のノズルとホルダー及び電気掃除機の連結状態を示す図である。
【図３】ノズルとホルダーの２つの部材の間にゴミ袋の開閉口を装着し電気掃除機のホースに接合した状態を示す図である。
【図４】電気掃除機を利用しゴミ袋内の空気を吸引した時を示す図である。
【図５】ゴミ袋内の空気を吸引し圧縮減容されたゴミ袋を回転させ絞めつけることにより圧縮状態を固定させる図である。
【図６】ゴミ袋の圧縮減容された状態を固定した後、２つの部材を切り離しゴミ袋を閉める時を示す図である。
【符号の説明】
【００１２】Ａ  吸引ノズル
Ｂ  ホルダー
１  吸引口
２  電気掃除機接合部
３  ゴミ袋
４  電気掃除機
【図１】
2007136144.tif 000003
【図２】
2007136144.tif 000004
【図３】
2007136144.tif 000005
【図４】
2007136144.tif 000006
【図５】
2007136144.tif 000007
【図６】
2007136144.tif 000008
(57)【要約】      （修正有）【課題】マジックテープ（登録商標）の付いた指圧器本体を、使用とする他方の物体に取り付けたマジックテープ（登録商標）に付着固定可能な必要な身体の部位のところへ指圧器本体を自由自在に移動が出来、指圧効果を高める指圧器を提供する。【解決手段】指圧器本体１の一部に磁石を設け、反対面にマジックテープ（登録商標）を取り付け、一方の衣類４、敷物５、椅子などにマジックテープ（登録商標）Ｂ７を取り付け、それに指圧器本体１を付着固定、必要に応じて自由自在に移動が出来る。【選択図】図２
2007136142.tif 000002
【特許請求の範囲】
【請求項１】
イ．指圧器本体（１）に磁石（２）を設け、反対面にマジックテープＡ（３）を取り付ける。
ロ．衣類（４）及び敷物（５）、椅子（６）などにマジックテープＢ（７）を取り付けたマジックテープ付指圧器である。
【発明の詳細な説明】
【発明の詳細な説明】
【技術分野】
【０００１】  この発明は、指圧器に取り付けたマジックテープＡを他の衣類や敷物、椅子などに取り付けたマジックテープＢに付着させ使用する指圧器である。
【背景技術】
【０００２】  従来、指圧器は電動によるもの、又は手動による器具で指圧を行っていた。
【発明が解決しようとする課題】
【０００３】  これは次のような欠点があった。
イ．電動による指圧機は、設置された所まで出向いて指圧を行っていた。
ロ．手動による指圧器は形態が色々で、携帯するのに不便である。
本発明は、以上の欠点を解決するためになされたものである。
【課題を解決するための手段】
【０００４】  指圧器本体（１）の一部に磁石（２）を設け、反対面にマジックテープＡ（３）を取り付ける。
一方、衣類（４）、敷物（５）、椅子（６）などにマジックテープＢ（７）を取り付ける。
本発明は、以上の構成よりなるマジックテープ付指圧器である。
【発明を実施するための最良の形態】
【０００５】  以下、本発明の実施の形態を説明する。
（イ）硬度の種類のある指圧器本体（１）の一部に磁石（２）を設け、その反対面にマジックテープＡ（７）を取り付ける。
（ロ）一方、衣類（４）、敷物（５）、椅子（６）などにマジックテープＢ（７）を取り付ける。
本発明は、以上の構成になっている。本発明を使用するときは、指圧器本体（１）のマジックテープＡ（３）部分と、一方の衣類（４）、敷物（５）、椅子（６）などに取り付けたマジックテープＢ（７）と付着させ固定する。
本発明は、以上の構成よりなっている。
本発明を使用するときは、衣類（４）は常時着用出来る。例えばチョッキの裏面に指圧器本体（１）を付着固定し、椅子に背中を当てることにより指圧効果がある。
またリュックサックを背負うことにより、リュックサックの重さによって指圧器が背中に指圧効果を与える。
敷物（５）にマジックテープＢ（７）を取り付け、それに指圧器本体（１）を付着固定し、その上に座ったり、寝たりすることにより指圧効果がある。
椅子（６）の背当てや座席にマジックテープＢ（７）を取り付け、それに指圧器本体（１）を付着固定し、使用することにより指圧効果がある。
【発明の効果】
【０００６】  本発明を使用することによって
イ．指圧器の硬度（柔らかいもの、硬いもの）を使用することにより、指圧効果を高めることが出来る。
ロ．指圧器本体を自由自在に取り外し、身体の指圧必要な部位へ移動し、指圧効果を高めることが出来る。
ハ．指圧器本体の素材をウレタンやゴムを使用することにより弾力性が生じ、付着固定し、指圧効果を高めることが出来る。
ニ．磁石の働きにより血行をよくする効果がある。
【図面の簡単な説明】
【図１】  本発明の斜視図
【図２】  本発明の分解斜視図
【図３】  本発明の使用状態を示す斜視図
【符号の説明】
１  指圧器本体
２  磁石
３  マジックテープＡ
４  衣類
５  敷物
６  椅子
７  マジックテープＢ
８  人
【図１】
2007136142.tif 000003
【図２】
2007136142.tif 000004
【図３】
2007136142.tif 000005
(57)【要約】      （修正有）【課題】  額に貼り付けるシート形冷却剤の脱落を防ぐために、手軽に且つ可愛くファッション性を損なわず、装飾的、色彩的、機能的に使用するためのシート形冷却剤の脱落防止リングバンドを提供する。【解決手段】  色彩あるゴムバンド１とゴムひも２の先端部を連結させ、リンク状に形成したものや筒状の伸縮布にゴムひもを通し先端部を連結させ、リング状に形成したもの、さらにゴムバンドあるいは伸縮布材そのものをリンク状に形成したもの、以上のバンドにアップリケを自由に装着させることを特徴としたシート形冷却剤の脱落防止リングバンド。【選択図】図１
2007136143.tif 000002
【特許請求の範囲】
ゴムバンドとゴムひもの先端部を連結させて、リング状に形成し、アップリケを自由に装着させることを特徴とするシート形冷却剤の脱落防止リングバンド。
【請求項２】
筒状の伸縮布にゴムひもを通し、リング状に連結させて、アップリケを自由に装着させることを特徴とするシート形冷却剤の脱落防止リングバンド。
【請求項３】
ゴムバンドや伸縮布の素材それぞれをリング状に形成し、アップリケを自由に装着させることを特徴とするシート形冷却剤の脱落防止リングバンド。
【発明の詳細な説明】
【技術分】
【０００１】  本発明は、単純な構造からなる額に貼り付けるシート形冷却剤の剥がれや脱落を防ぐ為に、手軽で且つ可愛くファッション性を損なわず装飾的、色彩的、機能的に使用するための複数のシート形冷却剤の脱落防止リングバンドに関するものである。
【背景の技術】
【０００２】  従来、シート形冷却剤は、バンド無しでパッケージされて販売しているものが多く、大半の人は、そのまま貼り付けた状態で使用していた。
過去には、一部二重構造の冷却剤収納保持袋が付いた帯状の面ファスナー止めするものがあった。
【発明の開示】
【発明が解決しょうとする課題】
【０００３】  そのため次のような問題点があった。
（イ）  シート形冷却剤の粘着力は良くなって来たものの、表示されている冷却持続時間を最大限密着することは難しく、短時間で剥がれ落ちていた。
（ロ）  幼児は、突然発熱することが多く冷却剤は欠かせないが、冷却剤の装着状態で抱かれていると顔を左右にこすったり、また熱の状態によって、飛んだり跳ねたり寝っろがったり動作も激しいため外れがちであった。
従来あったバンドは幼児には色彩や可愛さファション性に乏しいかった。
（ハ）  従来からあるバンドは、頭部のサイズによってベルトの長さはあるものの面ファスナー部分が少ないため具合いよく装着できないこともあった。
さらに面ファスナー部分に毛髪や糸屑が絡まったり、余分なベルトが髪の間から突き出たりすることもあった。
（ニ）  従来からあるバンドは、高熱で寝ている時でも冷却剤収納保持部が二重構造のため、冷却剤交換するたび、頭部からバンドを取り外したり、又、シートの角が折れ曲がって入ることもあった。
そのため、冷却剤交換にも手間がかかっていた。
本発明は、以上の問題点を解決するためになされたものである。
【課題を解決するための手段】
【０００４】  色彩を組み入れたゴムバンド（１）とゴムひも（２）の先端部を連結させて、その中央部にカバー（３）設ける。
そして額に貼り付けた冷却剤の上から頭部後ろに回し装着させる。
本発明は、以上の構成よりなるシート形冷却剤の脱落防止リングバンドである。
【発明の効果】
【０００５】  本発明を使用することで冷却剤の浸透感や時間持ちが良くなり剥がれや脱落を気にすることなく多少の寝返りや下向きでの遊びも仕事もしやすくなる。
冷却剤交換にも本発明をズラスだけですむ。
装飾的色彩を組入れてリンク状にしたことで、手軽に且つ可愛くファッション的、機能的に使いやすく、ゴムひもも髪の中に収まる。
【発明を実施するための形態】
【実施例１】
【０００６】  以下、本発明の実施の形態について説明する。
色彩あるゴムバンド（１）とゴムひも（２）の先端部を連結させてリング状に形成し、連結中央部にカバー（３）を設ける。
本発明は、以上のような構造で、これを使用する時は、額に貼り付けた冷却剤の上から本発明のバンドを被るように手で押さえ、もう一方の手でゴムひもを頭部後ろの都合のよいとところで装着させ、そして髪を整える。
【実施例２】
【０００７】  図３、図４で示すように筒状にした色彩ある伸縮布（４）にゴムひも（２）を設け、伸縮布（４）とゴムひも（２）の先端部を連結させて、その中央部にカバー（６）を設け、カバー（６）にアップリケ（５）を装着する。
本発明は、以上のような構造で、これを使用する時は実施例１と同じように頭部に装着する。
【実施例３】
【０００８】  図５、図６で示す様にバンド本体（７）を図１のゴムバンド（１）図３の伸縮布（４）の素材それぞれをリング状に形成することもできる。
以上の本発明の（実施例１）（実施例２）（実施例３）にはアップリケを自由に装着することができる。
【図面の簡単な説明】
【０００９】
【図１】  本発明の実施例１の斜視図
【図２】  本発明の実施例１の分解斜視図
【図３】  本発明の実施例２の斜視図
【図４】  本発明の実施例２の分解斜視図
【図５】  本発明の実施例３の斜視図
【図６】  本発明の実施例３の左側面図
【図７】  本発明の使用状態を示す正面図
【図８】  本発明の使用状態を示す左側面図
【符号の説明】
【００１０】    １  ゴムバンド
２  ゴムひも
３  カバー
４  伸縮布
５  アップリケ
６  カバー
７  バンド本体
【図１】
2007136143.tif 000003
【図２】
2007136143.tif 000004
【図３】
2007136143.tif 000005
【図４】
2007136143.tif 000006
【図５】
2007136143.tif 000007
【図６】
2007136143.tif 000008
【図７】
2007136143.tif 000009
【図８】
2007136143.tif 000010
(57)【要約】【課題】  切り花を頂いたり、野のはなを摘んだりしたときに、本数が少なくて持ちあわせの花瓶では、花が斜めになったり垂れ下ってしまったり、見た目にも良くなかったのを、例え一本でも此の発明品を付けることにより、ほぼ垂直にさせるようにした。【解決手段】  金具は色々な大きさ、形態のものを用意できる。製作費が極安なので数種類のものをセットで販売すれば利用価値があると思っている。【選択図】図１
2007136146.tif 000002
【特許請求の範囲】
【請求項１】
切り花の本数が少ないとき、数に合わせた大きさの花瓶を用意することは、一般の家庭では難しい。そこで少々大きな花瓶や器でも少ない切り花を倒れない様に出来るだけ垂直に差せるように考案した補助用具。
【発明の詳細な説明】
【技術分野】
【０００１】  この発明は１、２本の切り花でも、どんな花瓶にでも安定よくほぼ垂直に活けることが出来るようにした補助器具。
【背景技術】
【０００２】  切り花の本数が少ないと、倒れたり、曲がったりして活けづらかった。
【発明の開示】
【発明が解決しようとする課題】
【０００３】  少ない本数の切り花では活けようとすると、一般家庭では見合った花瓶がなくて難しかった。そんなとき例え一本でも倒れないようにするために考案したものである。
【課題を解決するための手段】
【０００４】  大きな花瓶でも、その口に様々な大きさ、形をした本発明品を取り付ければ解決する。製作費は安く出来るのでセットにする。
【発明の効果】
【０００５】  取り付けられる差し口は様々な大きさ、形にすることが出来るので、誰でも安心して簡単に活けること出来る。花瓶に当たる部分はゴムを使用することで、伸縮自由でガラスや陶磁器には滑りにくい。
【発明を実施するための最良の形態】
【０００６】  本発明の形態を説明すると、小さな金具（イ）を伸縮自在なゴム（ロ）により四方へ引っ張り、大きなゴム輪（ハ）に取り付けて、花瓶（ニ）の外側に張り付ける。金具は大小、形も様々なものを用意すればいい。
【実施例】
2007136146.tif 000003
【図面の簡単な説明】
【０００７】
【図１】    斜視図
【図２】    横面図
【図３】    上面図
【符号の説明】
【０００８】（イ）    金具
（ロ）    やや長めのゴム
（ハ）    太めのゴム輪
（ニ）    花瓶
【図１】
2007136146.tif 000004
【図２】
2007136146.tif 000005
【図３】
2007136146.tif 000006
(57)【要約】【課題】  野球及びソフトボールのテイーバッテング練習は、一定位置の静止した球の打撃練習しか出来なかった。当発明は従来のテイーバッテングの機能に動きを与えることにより、より高度な技術を習得する。【解決手段】  従来のテイーバッテング器に動力、駆動軸、アーム、水平維持部を設定し、動力には左右回転及び可変速の機能を与え、駆動軸に傾斜機能を持たせることにより、球が移動、変化する形態が発生することで高度な打撃練習が可能になる。【選択図】図１
2007136137.tif 000002
【特許請求の範囲】
【請求項１】
据え置いた球を静止状態と移動状態の両方で打撃練習を行う装置
【請求項２】
回転機能を有した動力を備えることで球の移動を可能とし、その動力は左右回転と可変速の機能を有した装置
【請求項３】
高低の調整機能、駆動軸の傾斜機能、球を常に水平に保つ機能を有した装置
【請求項４】
球を常に水平に保つため自在継ぎ手の機能を有した装置
【発明の詳細な説明】
【技術分野】
【０００１】    本発明はテイーバッテングの打撃練習機である。【０００２】    土台、左右傾斜装置、動力、駆動軸、伸縮可能なアーム，水平維持装置、球据え置き部で構成する。【０００３】  動力の左回転と右回転により、球の軌道が変化し可変速の機能を活用することにより球の移動速度も変化する。さらにアームの長さを調整することにより、球の高低が変化する。【０００４】  左右傾斜装置を活用することにより、水平軌道の円運動に上下運動が加わった軌道が可能となる。そのため水平維持装置は駆動軸の傾斜に反応し、常に球を水平に保つ構造である。
【背景技術】
【０００５】  従来のテイーバッテング練習機は球が静止状態のみでの使用であった。【０００６】
【特許文献１】  特開２０００−１７６０６７号公報
【発明の開示】
【発明が解決しようとする課題】
【０００７】  据え置いた球を固定位置だけでなく変動させることにより、より高度な打撃練習を行う
【課題を解決するための手段】
【０００８】  動力を駆動軸に連結し左右回転と可変速機能を持たせ駆動軸を回転させる。駆動軸は傾斜機能を有し、駆動軸とアームを連結し高低の調整が出来る構造とする。さらにアームの先端は水平維持機能を接続し、最後部に球据え置き部を設定することで課題を解決する。
【発明の効果】
【０００９】  当発明は打撃練習における最も基本的な練習である静止状態の球の打撃練習と、動く球の打撃練習も可能であるため打撃の基礎練習と、打者が打球の方向を確認できるため打撃練習の課題を自ら習得できる効果がある。
【発明を実施するための最良の形態】
【００１０】球が静止状態での使用、水平左右回転状態での使用、左右回転に上下運動が加わった状態での使用。
【実施例】
【００１０】  当機を停止し球がストライクゾーンの中心になるように設定した状態で最も基本的なバッテング練習を行う。【００１１】  当機の動力を活用しアームの高さと移動幅をストライクゾーン内で設定することで移動中の球の打撃練習を行う。【００１２】  駆動軸を垂直にし回転を与えると球は水平の円軌道上を移動する。打者より最外部は外角球の打撃練習になり、最内部は内角球の打撃練習になる。【００１３】  上記［００１２］の球の動きを利用すると最外部から中心に向かって移動する軌道は、左投手のスライダーの球筋に近く、最内部から中心に向かって移動する軌道は、右投手のスライダーの球筋になり各々の打撃練習ができる。【００１４】  駆動軸を傾斜させることより球の移動は円軌道に上下運動が加わる、この動きを利用すると最外部から中心向かって移動する軌道は左投手のカーブの球筋に近く、最内部から中心に向かって移動する軌道は右投手のカーブの球筋になり各々の打撃練習ができる。【００１５】  当機を打撃練習機として使用する際上記の各々の設定が可能であり、打者はインパクトの感触を体感でき、打球の方向も確認できる。このことは外角球の打撃練習の場合、どの程度踏み込んで打てば良いかを体験できるし、内角球の場合どの程度開いて打てば良いかを体験できる。
【産業上の利用分野】
【００１６】  本発明は野球及びソフトボールの基本的な打撃練習機であり、スポーツ用品としての用途が期待できる。
【図面の簡単な説明】
【図１】は全体図である。
【図２】Ａ図とＢ図は動力と駆動軸の傾斜を表した図である。
【図３】Ａ図とＢ図はアームの伸縮を表した図である。
【図４】Ａ図とＢ図はアームの傾斜に従い水平維持装置の変化を表した図である。
【符号の説明】
ａ    土台
ｂ    動力
ｃ    駆動軸
ｄ    アーム
ｅ    水平維持装置
ｆ    球据え置き部
ｇ    球
ｈ    左右傾斜装置
【図１】
2007136137.tif 000003
【図２】
2007136137.tif 000004
【図３】
2007136137.tif 000005
【図４】
2007136137.tif 000006
(57)【要約】【課題】円筒又は角筒の本体の上部に、ストック装置と下部にホルダ−装置を設けた、トイレ巻紙ストックホルダ−を提供する。【解決手段】円または角筒状の本体にトイレ巻紙先端通し溝を設け、受け板と押さえ棒を設けたストック装置に、予備のトイレ巻紙を常備し、トイレ巻紙切り取り板を設けたホルダ−装置で必要なだけのトイレ巻紙を取り出すことを特徴とするトイレ巻紙ストックホルダ−。【選択図】図２
2007136135.tif 000002
【特許請求の範囲】
【請求項１】
トイレ巻紙先端通し溝を設けた円筒または角筒状の本体の下部内側に、位置固定棒を設けた底板と、トイレ巻紙切断板に支点を設けて内部に入れたトイレ巻紙を片手で切り取り使用することを特徴としたトイレ巻紙ストックホルダ−。
【請求項２】
本体にトイレ巻紙受け板と押さえ棒を設けて、ストック部分に予備のトイレ巻紙を数個保有する請求項１のトイレ巻紙ストックホルダ−。
【発明の詳細な説明】
【技術分野】
【０００１】  本発明は、予備のトイレ巻紙を数個保有し受け板を引き出すだけで簡単にホルダ−にセットして使用するための、トイレ巻紙ストックホルダ−に関するものである。
【背景技術】
【０００２】  従来はトイレ巻紙ホルダ−とストッカ−は別々に使用されている。
予備のトイレ巻紙を置くのに棚、またはストッカ−、またはラック等に保管して必要に応じて取り出し使用している。
【発明の開示】
【発明が解決しようとする課題】
【０００３】  そのために次のような問題点があった。
トイレ巻紙ホルダ−と別にストッカ−等を設置しているが、ラック式のストッカ−は場所を必要とし、トイレ室内が狭まり掃除をする時の障害になる。布製のストッカ−は湿気を受けやすく、出し入れしにくい。また棚などに置くとトイレ巻紙が剥き出しになるため、見た目に悪く湿気を受けやすい。
本発明は、以上の問題点を解決するためになされたものである。
【課題を解決するための手段】
【０００４】  円筒、または角筒状の本体にトイレ巻紙先端通し溝を設け、受け板と押さえ棒を設けたストック装置に予備のトイレ巻紙を常備し、トイレ巻紙切り取り板を設けたホルダ−装置で必要なだけのトイレ巻紙を切り取り使用する。以上を特徴とするトイレ巻紙ストックホルダ−である。
【発明の効果】
【０００５】  ストッカ−とホルダ−を一体化する事で簡単にトイレ巻紙を使用でき、他のラックや棚を設ける必要が無くなる。
【発明を実施するための最良の形態】
【０００６】  以下、本発明の実施の形態について説明する。
イ、トイレ巻紙（１１）より少し大きめの内径の円筒または角筒に、巻紙先端通し溝（１２）、押さえ棒口穴（１３）、受け板入れ溝（１４）、切取板用切り込み（１５）底板入れ溝（１６）を空けた本体（１）を設ける。
ロ、本体（１）に支点（３）を介し上蓋（２）を取り付け、受け板（６）と押さえ棒（４）を、押さえ棒支点（５）を介して取り付ける。
ハ、切取り板（７）を、切取り板支点（８）を介して取付ける。
ニ、位置指示棒（１０）を設けた底板（９）を底板入れ溝（１６）に嵌め込む。
本発明は、以上のような構造で、本発明を使用するときは、トイレ巻紙（１１）の先端を少し引き出し、巻紙通し溝（１２）から少し出るようにセットして置き、必要に応じてホルダ−からトイレ巻紙（１１）を手前に引き出し左方向に引っ張るだけで、切り取り板支点（８）を介して切り取り板（７）の先端がトイレ巻紙（１１）を押さえて回転が止まり、さらに、上か下に力を加えて切取り使用する。
また、底板（９）は、左に廻して外し、トイレ巻紙の空の芯などを取り出す。
従来の、横型ホルダ−や一般のロ−ル紙にも使用する。
最初のトイレ巻紙（１１）の入れ方は、上蓋（２）を開け、受け板（６）が差込まれているか確認して、先端を少し出したトイレ巻紙（１１）を１個入れ、ホルダ−装置に空の芯が無い事を確認して、受け板（６）を引き出しホルダ−装置に落としてから受け板（６）を中に差込み、ストッカ−装置にトイレ巻紙（１１）を補充し蓋をする。
【図面の簡単な説明】
【０００７】
【図１】  本発明の斜視図
【図２】  本発明の分解斜視図
【符号の説明】
１    本体
２    上蓋
３    支点
４    押さえ棒
５    押さえ棒支点
６    受け板
７    切取り板
８    切取り板支点
９    底板
１０    位置指示棒
１１    トイレ巻紙
１２    巻紙先端通し溝
１３    押さえ棒口穴
１４    受け板入れ溝
１５    切取り板用切込
１６    底板入れ溝
【図１】
2007136135.tif 000003
【図２】
2007136135.tif 000004
(57)【要約】【課題】掃き掃除で、取れないへばりついたゴミの解消等。【解決手段】箒の柄にへらを取りつけ、これにより課題を解決する。【選択図】図１
2007136138.tif 000002
【特許請求の範囲】
【請求項１】
柄にへらを取りつけたことを特徴とする箒。
【発明の詳細な説明】
【技術分野】
【０００１】この発明は、箒に関するものであり柄に工夫することにより、掃除がしやすくしたものである。
【背景技術】
【０００２】従来の箒では、床にへばり付いたゴミは取れなかった。
【発明の開示】
【発明が解決しようとする課題】
【０００３】床にへばり付いたゴミは、箒では取れず片手でへらを持ちそぎ取らなければならなかった。
【課題を解決するための手段】
【０００４】箒の柄にへらを取りつけた。
【発明の効果】
【０００５】この発明により、片手でへらを持つ必要がなくなり床にへばり付いたゴミは、柄に付いたへらでそぎ取ることができる。
【発明を実施するための最良の形態】
【０００６】図１は、柄の部分にへらを取りつけたことを特徴とする箒の斜視図である。図２に示すようにへらが収納でき吊輪が代わりに出てきて吊り下げることができる。
【産業上の利用可能性】
【０００７】本発明に係る箒は、量産可能なので、産業上の利用可能性を有する。
【図面の簡単な説明】
【０００８】
【図１】本発明のへらを出したときの斜視図である。
【図２】本発明のへらを収納したときの斜視図である。
【符号の説明】
【０００９】▲１▼へら
▲２▼箒
▲３▼吊輪
【図１】
2007136138.tif 000003
【図２】
2007136138.tif 000004